(57)【特許請求の範囲】
【請求項１】
ハウジング部と、グリップ部と、バッテリ保持部とを備え、前記ハウジング部にグリップ部とバッテリ保持部とが設けられているモータ駆動式の第１の電動工具本体と、
支柱部と、その支柱部の長さ方向途中位置に設けられたハンドル部と、前記支柱部の先端部に設けられた回転部と、前記支柱部の基端部に設けられたハウジング部と、バッテリ保持部とを備え、前記ハウジング部にバッテリ保持部が設けられているモータ駆動式の第２の電動工具本体と、
前記第１、第２の電動工具本体のモータの定格電圧に合った定格電圧に設定されており、前記第１の電動工具本体のバッテリ保持部と、第２の電動工具本体のバッテリ保持部とに嵌合部が嵌合して一定方向にスライドする動作により、前記第１、第２の電動工具本体のバッテリ保持部と連結可能に構成されたバッテリと、
前記第１の電動工具本体のバッテリ保持部に嵌合部が嵌合して一定方向にスライドする動作により、前記第１の電動工具本体のバッテリ保持部と連結可能に構成された工具側連結部と、その工具側連結部に接続されたケーブルとを備え、前記ケーブルと工具側連結部を介して前記第１の電動工具本体に対して前記モータの定格電圧に合った定格電圧の電力を供給できるバッテリアダプタとを有しており、
前記第２の電動工具本体のバッテリ保持部には、前記モータの定格電圧に合った前記バッテリアダプタの工具側連結部であっても連結を阻止する連結阻止部が設けられていることを特徴とする電動工具の連結システム。
【請求項２】
請求項１に記載された電動工具の連結システムであって、
前記連結阻止部は、前記第２の電動工具本体のバッテリ保持部に対して前記バッテリアダプタの工具側連結部がスライドする際にその工具側連結部の壁部が当接する突起であり、
前記バッテリの壁部には、そのバッテリが前記第２の電動工具本体のバッテリ保持部に対してスライドする際に前記突起を収納できる凹部が形成されていることを特徴とする電動工具の連結システム。
【請求項３】
請求項１又は請求項２のいずれかに記載された電動工具の連結システムであって、
前記連結阻止部は、前記第２の電動工具本体のバッテリ保持部に形成されたスライド方向に延びる溝であり、前記バッテリの嵌合部が嵌合可能、かつ前記バッテリアダプタの工具側連結部の嵌合部が嵌合不能に形成されていることを特徴とする電動工具の連結システム。
【請求項４】
請求項１に記載された電動工具の連結システムであって、
前記連結阻止部は、前記第２の電動工具本体に対応する前記バッテリか、前記バッテリアダプタの工具側連結部かを判定できる判定手段と、前記判定手段が前記バッテリでないと判定したときに連結阻止動作を行い、または、前記判定手段が前記バッテリと判定したときに連結阻止解除動作を行う操作手段とを備えていることを特徴とする電動工具の連結システム。
【発明の詳細な説明】
【技術分野】
【０００１】
本発明は、モータを備える電動工具本体と、前記電動工具本体に連結可能なバッテリと、前記電動工具本体に連結可能な工具側連結部とその工具側連結部に接続されたケーブルとを備え、前記ケーブルを介して電力を電動工具本体に供給できるバッテリアダプタとからなる電動工具の連結システムに関する。
【背景技術】
【０００２】
この種の電動工具では、電動工具本体のモータの定格電圧に合ったバッテリが接続されるように両者の連結部分が構成されている。例えば、定格電圧がＤＣ12Ｖ用のモータを備える電動工具本体に対しては12Ｖのバッテリのみが接続できるように構成されており、異なる電圧のバッテリは接続不能となっている（特許文献１参照）。
また、電動工具の重量を軽減して作業性を向上させるため、バッテリの代わりに、図１４に示すような、バッテリアダプタ１００を使用する場合がある。バッテリアダプタ１００は、バッテリ側連結部１０２と、工具側連結部１０４と、両者１０２，１０４を接続するケーブル１０５とから構成されており、前記工具側連結部１０４に電動工具本体（図示省略）に連結される部位及び電極１０４ｔ等が形成されている。また、バッテリ側連結部１０２がバッテリ１２０に連結可能に構成されている。
これにより、バッテリ１２０及びバッテリ側連結部１０２を身体に固定し、工具側連結部１０４を電動工具本体５０に連結することで（図９参照）、電動工具の手持ち部分の重量を軽減できるようになる。
上記したバッテリアダプタ１００を使用する場合にも、電動工具本体のモータの定格電圧に合ったバッテリアダプタ１００が接続できるように構成されている。
【先行技術文献】
【特許文献】
【０００３】
【特許文献１】特開２００１−２３００３４号公報
【発明の概要】
【発明が解決しようとする課題】
【０００４】
しかし、図１に示すような電動工具（草刈機等）の場合、例えば、同じ定格電圧であってもバッテリと図１４に示すバッテリアダプタ１００との接続替えを可能にすると、前記草刈機の長手方向における重量バランスが大幅に変化して、作業性が低下する。したがって、特定の電動工具では、同じ定格電圧であってもバッテリからバッテリアダプタ等への接続替えを禁止しなければならない場合がある。【０００５】
本発明は、上記問題点を解決するためになされたものであり、本発明が解決しようとする課題は、特定の電動工具については、その電動工具の定格電圧に合ったバッテリであっても専用のバッテリ以外は使用できないようにして、前記電動工具の重量バランスの変動等を防止することである。
【課題を解決するための手段】
【０００６】
上記した課題は、各請求項の発明によって解決される。
請求項１の発明は、ハウジング部と、グリップ部と、バッテリ保持部とを備え、前記ハウジング部にグリップ部とバッテリ保持部とが設けられているモータ駆動式の第１の電動工具本体と、支柱部と、その支柱部の長さ方向途中位置に設けられたハンドル部と、前記支柱部の先端部に設けられた回転部と、前記支柱部の基端部に設けられたハウジング部と、バッテリ保持部とを備え、前記ハウジング部にバッテリ保持部が設けられているモータ駆動式の第２の電動工具本体と、前記第１、第２の電動工具本体のモータの定格電圧に合った定格電圧に設定されており、前記第１の電動工具本体のバッテリ保持部と、第２の電動工具本体のバッテリ保持部とに嵌合部が嵌合して一定方向にスライドする動作により、前記第１、第２の電動工具本体のバッテリ保持部と連結可能に構成されたバッテリと、前記第１の電動工具本体のバッテリ保持部に嵌合部が嵌合して一定方向にスライドする動作により、前記第１の電動工具本体のバッテリ保持部と連結可能に構成された工具側連結部と、その工具側連結部に接続されたケーブルとを備え、前記ケーブルと工具側連結部を介して前記第１の電動工具本体に対して前記モータの定格電圧に合った定格電圧の電力を供給できるバッテリアダプタとを有しており、前記第２の電動工具本体のバッテリ保持部には、前記モータの定格電圧に合った前記バッテリアダプタの工具側連結部であっても連結を阻止する連結阻止部が設けられていることを特徴とする。
【０００７】
本発明によると、第２の電動工具本体のバッテリ保持部には、モータの定格電圧に合ったバッテリアダプタの工具側連結部であっても連結を阻止する連結阻止部が設けられている。
このため、例えば、定格電圧は同じであってもバッテリと重量が異なるバッテリアダプタを第２の電動工具本体において使用できなくなる。このため、第２の電動工具の重量バランスの変動等を防止できる。
【０００８】
請求項２の発明によると、連結阻止部は、第２の電動工具本体のバッテリ保持部に対してバッテリアダプタの工具側連結部がスライドする際にその工具側連結部の壁部が当接する突起であり、バッテリの壁部には、そのバッテリが前記第２の電動工具本体のバッテリ保持部に対してスライドする際に前記突起を収納できる凹部が形成されていることを特徴とする。
請求項３の発明によると、連結阻止部は、第２の電動工具本体のバッテリ保持部に形成されたスライド方向に延びる溝であり、バッテリの嵌合部が嵌合可能、かつ前記バッテリアダプタの工具側連結部の嵌合部が嵌合不能に形成されていることを特徴とする。
【０００９】
請求項４の発明によると、連結阻止部は、第２の電動工具本体に対応するバッテリか、バッテリアダプタの工具側連結部かを判定できる判定手段と、前記判定手段が前記バッテリでないと判定したときに連結阻止動作を行い、または、前記判定手段が前記バッテリと判定したときに連結阻止解除動作を行う操作手段とを備えていることを特徴とする。
【発明の効果】
【００１０】
本発明によると、電動工具の定格電圧に合ったバッテリであっても専用のバッテリ以外は取付けできないようになるため、電動工具の重量バランスの変動等を防止できる。
【図面の簡単な説明】
【００１１】
【図１】本発明の実施形態１に係る電動工具である草刈機の全体斜視図である。
【図２】図１のII部拡大図である。
【図３】バッテリの全体斜視図である。
【図４】草刈機本体のターミナル支持部を下方から見た斜視図（Ａ図）、上方から見た斜視図（Ｂ図）である。
【図５】草刈機本体とバッテリとの連結部分を表す縦断面図（Ａ図、Ｂ図）（図２のＶ−Ｖ矢視断面図）である。
【図６】草刈機本体等のターミナル支持部とバッテリとの連結部分の変更例を表す模式平面図である。
【図７】本発明の実施形態２に係る電動工具である草刈機等のターミナル支持部とバッテリとの連結部分を表す模式平面図である。
【図８】バッテリアダプタを使用した電動工具の電気回路図である。
【図９】バッテリアダプタの使用例を表す側面図（Ａ図）、及び判定手段を構成する送信部と受信部との関係を表す模式図（Ｂ図）である。
【図１０】電力遮断手段を備えるバッテリアダプタを使用した電動工具の電気回路図である。
【図１１】判定手段を構成する送信部と受信部との例を表す模式図（Ａ図）（Ｂ図）（Ｃ図）である。
【図１２】本発明の実施形態２に係る電動工具である草刈機等のターミナル支持部とバッテリとの連結部分を表す模式平面図である。
【図１３】案内スリットの開閉機構を表す模式図（Ａ図）（Ｂ図）である。
【図１４】バッテリアダプタの斜視図である。
【発明を実施するための形態】
【００１２】
［実施形態１］
以下、図１から図６に基づいて本発明の実施形態１に係る電動工具（草刈機）について説明する。
なお、図に記載された前後左右及び上下は、バッテリの前後左右及び上下に対応している。
＜草刈機１０の概要について＞
草刈機１０は、図１に示すように、草刈機本体２０と専用のバッテリ３０とから構成されている。草刈機本体２０は、支柱部２１と、その支柱部２１の中央位置に交差するように固定されたハンドル部２３と、前記支柱部２１の先端に設けられた刃部２５と、前記支柱部２１の基端部に設けられたハウジング部２７とから構成されている。ハウジング部２７には、刃部２５の切刃（図示省略）を回転させるための直流モータ、及びギア機構とモータ駆動回路等（図示省略）が収納されている。そして、図１、図２に示すように、前記ハウジング部２７の端部（支柱部２１と反対側の端部）にバッテリ３０が連結されるバッテリ保持部２８とバッテリガード２９が設けられている。
即ち、前記草刈機本体２０が本発明の第２の電動工具本体に相当する。
【００１３】
＜専用のバッテリ３０について＞
草刈機本体２０に連結される専用のバッテリ３０は、図３に示すように、複数個の蓄電池（図示省略）を収納する上部開放型のケース本体部３２と、そのケース本体部３２の開口３２ｈを塞ぐ蓋部３４とを備えている。ケース本体部３２と蓋部３４とは平面略角形に形成されており、そのケース本体部３２に対して蓋部３４が周囲８箇所でネジ止め可能に構成されている。
前記バッテリ３０の蓋部３４の上面には、その左右両側に草刈機本体２０との連結に使用されるスライドレール３６が前後方向に延びるように形成されている。左右のスライドレール３６は、レール本体部３６ｍと、そのレール本体部３６ｍの上側面から幅方向外側に一定寸法だけ突出する横方向突条部３６ｔとから構成されている。また、左右のスライドレール３６の後端位置には、ストッパ部３６ｕが形成されている。
ここで、右側のスライドレール３６における横方向突条部３６ｔの上下幅寸法Ｄ１（図５（Ａ）参照）は、左側のスライドレール３６における横方向突条部３６ｔの上下幅寸法Ｄ２よりも小さく設定されている。これは草刈機１０用のバッテリ３０に特有の構成であり、等しい定格電圧であっても他のバッテリでは左右の横方向突条部３６ｔの上下寸法は寸法Ｄ２に設定されている。
【００１４】
蓋部３４の上面後部には、左右のスライドレール３６の間に、草刈機本体２０の板状のターミナル４３ｐ，４３ｎ（後記する）がそれぞれ前方から挿入可能に構成された左右一対の案内スリット３７が前記スライドレール３６と平行に形成されている。そして、左右の案内スリット３７の内部にバッテリ３０の正電極Ｐｔ，負電極Ｎｔが設置されている。また、左右の案内スリット３７の間には、開口部３４ｘが形成されており、その開口部３４ｘからバッテリ３０の制御回路の出力コネクタ３３が前方を指向した状態で突出している。さらに、右側の案内スリット３７と前記開口部３４ｘとの間には、スリット状の凹部３９が案内スリット３７と平行に形成されている。
前記スリット状の凹部３９は、草刈機１０用のバッテリ３０に特有の構成であり、等しい定格電圧であっても他のバッテリには設けられていない。
【００１５】
＜草刈機本体２０のバッテリ保持部２８について＞
次に、上記したバッテリ３０が連結される草刈機本体２０のバッテリ保持部２８について説明する。
前記バッテリ保持部２８は、図２に示すように、ハウジング部２７の端面２７ｆ（図２における下端面２７ｆ）の左右両側に設けられている。バッテリ保持部２８は、バッテリ３０のスライド方向（図２において前後方向）に延びる縦壁状に形成されており、左右のバッテリ保持部２８の内壁面（互いに対向する面）にそれぞれ角溝２８ｍ（図５（Ａ）参照）が形成されている。なお、図５（Ａ）は、図２におけるＶ−Ｖ矢視断面図を表している。
バッテリ保持部２８の角溝２８ｍは、図５（Ａ）に示すように、バッテリ３０のスライドレール３６の横方向突条部３６ｔが嵌合する溝であり、バッテリ保持部２８の後端位置から前端位置近傍まで直線状に形成されている。さらに、左右の角溝２８ｍの上下幅寸法は、左右のスライドレール３６の横方向突条部３６ｔにおける上下幅寸法Ｄ２，Ｄ１に合わせて設定されている。即ち、左側の角溝２８ｍの上下幅寸法が寸法Ｄ２にほぼ等しく設定されており、右側の角溝２８ｍの上下幅寸法が寸法Ｄ１にほぼ等しく設定されている。
このため、前記専用のバッテリ３０に形成された各スライドレール３６の横方向突条部３６ｔの先端を草刈機本体２０のバッテリ保持部２８における左右の角溝２８ｍの後端にそれぞれ嵌合させ、その嵌合状態を保持した状態でバッテリ３０を草刈機本体２０に対して前方にスライドさせることができる。
【００１６】
＜草刈機本体２０のターミナル支持部４０について＞
また、草刈機本体２０のハウジング部２７の下端面２７ｆ（図４参照）には、左右のバッテリ保持部２８の間にターミナル支持部４０が設けられている。なお、図４では、バッテリ保持部２８は省略されている。
ターミナル支持部４０は、草刈機本体２０のモータ駆動回路の正側、負側電極であるターミナル４３ｐ，４３ｎ等をハウジング部２７の下端面２７ｆの所定位置に固定するため部材である。ターミナル支持部４０は、図４（Ａ）（Ｂ）に示すように、角形の平板部４１と、その平板部４１の前端中央から前方に突出するように形成された角形の端子部４３とから構成されている。ターミナル支持部４０の上面側は、図４（Ｂ）に示すように、ハウジング部２７の内壁面を構成しており、端子部４３の上面４３ｕから板状ターミナル４３ｐ，４３ｎの基端部が上方に突出している。また、平板部４１の上面４１ｕからはコネクタ４６の端子台４６ｔが上方に突出している。
【００１７】
ターミナル支持部４０の下面側は、図４（Ａ）に示すように、ハウジング部２７の下端面２７ｆにおいて露出している。ターミナル支持部４０の下面側では、端子部４３と、その端子部４３から左右方向に延びる隔壁部４４とが平板部４１の下面４１ｄに対して一定寸法だけ下方に突出しており、その突出した端子部４３と隔壁部４４とによりＴ字形成部４０ｔが形成されている。さらに、平板部４１の下面４１ｄの左右両側には、Ｔ字形成部４０ｔの隔壁部４４の位置から平板部４１の後端位置まで延びる浅い突条４１ｅが形成されている。隔壁部４４及び左右の突条４１ｅは、左右のターミナル４３ｐ，４３ｎを支える部分であり、左右の隔壁部４４の部分に左右のターミナル４３ｐ，４３ｎのＺ字形折り曲げ部（点線参照）が埋め込まれている。また、左右のターミナル４３ｐ，４３ｎの先端部分の上端縁が突条４１ｅに埋め込まれて、その先端部分の上端縁以外が露出している。即ち、左右のターミナル４３ｐ，４３ｎの露出部分がレール状に形成されており、その露出部分（以下、ターミナル４３ｐ，４３ｎという）がバッテリ３０の案内スリット３７に前方から挿入可能に構成されている。
また、ターミナル支持部４０の下面側には、左右のターミナル４３ｐ，４３ｎの間にバッテリ３０の出力コネクタ３３と接続可能なコネクタ４６が後方を指向して設けられている。さらに、右側のターミナル４３ｎとコネクタ４６との間にはバッテリ３０のスリット状の凹部３９に前方から挿入可能な突条４５がターミナル４３ｎと平行に形成されている。
【００１８】
＜草刈機本体２０のバッテリガード２９について＞
バッテリガード２９はバッテリ３０を保護するための部材であり、図２に示すように、側面形状（左右から見た形状）が略三角形状で、断面形状（前後方向から見た形状）が略Ｕ字状に形成されている。そして、バッテリガード２９は、バッテリ３０の前部を下方（ハンドル部２３と反対方向）から非接触状態で覆えるように構成されている。バッテリガード２９は、図２に示すように、左側の上端縁がネジ２９ｎにより左側のバッテリ保持部２８の外側面に固定されており、右側の上端縁がネジ（図示省略）により右側のバッテリ保持部２８の外側面に固定されている。
このように、草刈機本体２０はバッテリガード２９を備えているため、例えば、ハンドル部２３を持ち、ハウジング部２７を下側にして草刈機１０を引きずるような場合でもバッテリ３０の損傷を防止できる。
【００１９】
＜草刈機本体２０に対するバッテリ３０の連結について＞
草刈機本体２０に対してバッテリ３０を連結させるには、図５（Ａ）に示すように、草刈機本体２０のバッテリ保持部２８に形成された左右の角溝２８ｍの後端にバッテリ３０に形成された左右の横方向突条部３６ｔの先端を嵌合させる。ここで、バッテリ保持部２８に形成された左側の角溝２８ｍの上下幅寸法は寸法Ｄ２にほぼ等しく設定されており、右側の角溝２８ｍの上下幅寸法は寸法Ｄ１にほぼ等しく設定されている。このため、バッテリ保持部２８の左右の角溝２８ｍにバッテリ３０の左右の横方向突条部３６ｔを嵌合させることが可能になる。
次に、前記嵌合状態でバッテリ３０を草刈機本体２０に対して前方にスライドさせる。ここで、バッテリガード２９は、バッテリ３０の前部を下方から非接触状態で覆えるように構成されているため、前記バッテリガード２９がバッテリ３０の前方スライドを妨げることがない。
そして、バッテリ３０を草刈機本体２０に対して前方にスライドさせる過程で、図５（Ｂ）に示すように、草刈機本体２０のターミナル支持部４０に設けられた左右のターミナル４３ｐ，４３ｎがバッテリ３０の左右の案内スリット３７に対して前方から挿入される。そして、それらのターミナル４３ｐ，４３ｎがバッテリ３０の正電極Ｐｔ、負電極Ｎｔに接続される。また、草刈機本体２０のターミナル支持部４０に設けられたコネクタ４６がバッテリ３０の出力コネクタ３３に接続され、さらにそのターミナル支持部４０に形成された突条４５がバッテリ３０のスリット状の凹部３９に挿入される。そして、バッテリ３０のストッパ部３６ｕがバッテリ保持部２８のストッパ部（図示省略）に当接するまでバッテリ３０が草刈機本体２０に対して前方にスライドした状態で、草刈機本体２０に対するバッテリ３０の連結が完了する。
【００２０】
ここで、定格電圧が等しい他のバッテリでは左右のスライドレール３６に形成された横方向突条部３６ｔの上下寸法が共に寸法Ｄ２に設定されているため、そのバッテリの右側の横方向突条部３６ｔが草刈機本体２０のバッテリ保持部２８の右側に形成された角溝２８ｍに嵌合できなくなる。また、他のバッテリには草刈機本体２０のターミナル支持部４０の突条４５が挿入されるスリット状の凹部３９が形成されていないため、前記バッテリが草刈機本体２０に対してスライドしようとしても、突条４５の先端がバッテリの壁部に当接して前記スライドが途中で阻止される。したがって、草刈機本体２０には、専用のバッテリ３０以外のバッテリを連結することはできなくなる。
即ち、草刈機本体２０のバッテリ保持部２８に形成された右側の角溝２８ｍ、及びターミナル支持部４０の突条４５が本発明の連結阻止部に相当する。また、バッテリ３０のスライドレール３６及び横方向突条部３６ｔが本発明の嵌合部に相当する。
【００２１】
＜本実施形態に係る草刈機１０の長所について＞
本実施形態に係る草刈機１０によると、草刈機本体２０には、モータの定格電圧に合ったバッテリであっても専用のバッテリ３０以外の連結を阻止する連結阻止部（突条４５、右側の角溝２８ｍ）が設けられている。このため、例えば、定格電圧は同じであっても容量が異なるバッテリや図１４に示すバッテリアダプタ１００等を草刈機本体２０に連結できなくなる。即ち、モータの定格電圧に合ったバッテリであっても専用のバッテリ３０と重量が異なるバッテリ等が連結されないため、前記草刈機１０の重量バランスの変動等を防止できる。
【００２２】
＜変更例＞
ここで、本発明は上記実施形態に限定されるものではなく、本発明の要旨を逸脱しない範囲における変更が可能である。例えば、本実施形態では、草刈機本体２０のバッテリ保持部２８に形成された右側の角溝２８ｍの上下幅寸法を左側の角溝２８ｍの上下幅寸法よりも小さくする例を示した。しかし、専用のバッテリ３０における左右の横方向突条部３６ｔの上下幅寸法を等しい特定寸法に設定し、草刈機本体２０のバッテリ保持部２８の左右角溝２８ｍの上下幅寸法を前記特定寸法にほぼ等しく設定することも可能である。また、左右のバッテリ保持部２８の間隔寸法を特定寸法に設定し、専用のバッテリ３０のスライドレール３６における間隔寸法を特定寸法にほぼ等しくする構成でも可能である。
また、本実施形態では、草刈機本体２０のターミナル支持部４０における突条４５を右側のターミナル４３ｎとコネクタ４６との間との間に形成する例を示したが、前記突条４５の位置を変更し、その突条４５の位置変更に合わせてバッテリ３０のスリット状の凹部３９に位置を変更することも可能である。
【００２３】
また、本実施形態では、草刈機本体２０のターミナル支持部４０の下面側に突条４５を形成し、専用のバッテリ３０側にその突条４５が挿入されるスリット状の凹部３９を形成する例を示した。しかし、草刈機本体２０のターミナル支持部４０の下面側にスリット状の凹部を形成し、専用のバッテリ３０側にその凹部に挿入可能な突条を形成し、他のバッテリに前記凹部に挿入不能な突条を形成することも可能である。
また、本実施形態では、草刈機本体２０のターミナル支持部４０に突条４５を形成し、専用のバッテリ３０側にその突条４５が挿入されるスリット状の凹部３９を形成し、さらにバッテリ保持部２８の角溝２８ｍの上下幅寸法をＤ２，Ｄ１に設定する例を示した。しかし、バッテリ保持部２８の角溝２８ｍの上下幅寸法をＤ２，Ｄ１に設定した場合に、ターミナル支持部４０の突条４５と専用のバッテリ３０の凹部３９とを省略することも可能である。逆に、ターミナル支持部４０に突条４５を設け、専用のバッテリ３０に凹部３９を設けた場合に、左右のバッテリ保持部２８における角溝２８ｍの上下幅寸法を寸法Ｄ２（他のバッテリの横方向突条部が嵌合可能な寸法）に設定することも可能である。
【００２４】
また、本実施形態では、草刈機本体２０のターミナル支持部４０に突条４５を形成し、専用のバッテリ３０側にその突条４５が挿入されるスリット状の凹部３９を形成する例を示したが、図６に示すように、突条４５を信号ターミナル４５ｓ（実施形態２で説明する）とし、専用のバッテリ３０の凹部３９内に信号電極Ｓｔを設けるようにすることも可能である。
ここで、専用のバッテリ３０は、図６に示すように、草刈機本体２０のバッテリとして使用できるだけではなく、例えば、図９に示すようなハンマドリル５０等、重量バランスを配慮しなくても良い電動工具にも使用できるように構成されている。このため、専用のバッテリ３０には、正電極Ｐｔを備える案内スリット３７と、信号電極Ｓｔを備えるスリット状の凹部３９と、専用負電極ＫＮｔを備える案内スリット３７１と、一般用負電極ＳＮｔを備える案内スリット３７２が設けられている。そして、専用のバッテリ３０の正電極Ｐｔと専用負電極ＫＮｔ間の寸法が草刈機本体２０の正側、負側のターミナル４３ｐ，４３ｎ間の寸法と等しく設定されている。また、前記正電極Ｐｔと一般用負電極ＳＮｔ間の寸法がハンマドリル５０等のターミナル支持部６０に設けられた正側、負側のターミナル６３ｐ，６３ｎ間の寸法と等しく設定されている。
なお、専用のバッテリ３０の信号電極Ｓｔ（凹部３９）は、草刈機本体２０の信号ターミナル４５ｓ、及びハンマドリル５０等の信号ターミナル６５ｓに対応する位置に設けられている。
したがって、専用のバッテリ３０を草刈機本体２０、あるいはハンマドリル５０等に連結することが可能になる。
【００２５】
バッテリアダプタ１００の工具側連結部１０４には、正電極Ｐｔを備える案内スリット３７と、信号電極Ｓｔを備えるスリット状の凹部３９と、一般用負電極ＳＮｔを備える案内スリット３７２が設けられている。そして、工具側連結部１０４の正電極Ｐｔと一般用負電極ＳＮｔ間の寸法がハンマドリル５０等の正側、負側のターミナル６３ｐ，６３ｎ間の寸法と等しく設定されている。また、工具側連結部１０４の信号電極Ｓｔ（凹部３９）は、ハンマドリル５０等の信号ターミナル６５ｓに対応する位置に設けられている。
このため、バッテリアダプタ１００の工具側連結部１０４をハンマドリル５０等に連結することは可能であるが、その工具側連結部１０４を草刈機本体２０に連結することはできない。したがって、草刈機本体２０においてバッテリアダプタ１００を使用できない。
即ち、草刈機本体２０の正側、負側のターミナル４３ｐ，４３ｎ、及びバッテリアダプタ１００の正電極Ｐｔと一般用負電極ＳＮｔ等が本発明の連結阻止部に相当する。
また、前記ハンマドリル５０が本発明の第１の電動工具本体に相当する。
【００２６】
なお、図６では、草刈機本体２０の負側のターミナル４３ｎと、ハンマドリル５０等の負側のターミナル６３ｎとの位置を変え、専用のバッテリ３０に専用負電極ＫＮｔと、一般用負電極ＳＮｔとを設ける例を示した。しかし、草刈機本体２０の正側のターミナル４３ｐと、ハンマドリル５０等の正側のターミナル６３ｐとの位置を変え、専用のバッテリ３０に専用正電極と、一般用正電極とを設けることも可能である。また、草刈機本体２０の信号ターミナル４５ｓと、ハンマドリル５０等の信号ターミナル６５ｓとの位置を変え、専用のバッテリ３０に専用信号電極、一般用信号電極とを設けることも可能である。
【００２７】
［実施形態２］
以下、図７から図１３に基づいて本発明の実施形態２に係る電動工具について説明する。
本実施形態では、草刈機本体２０は専用のバッテリ３０以外のバッテリ（バッテリアダプタ１００等）に連結できるように構成されている。しかし、草刈機本体２０とバッテリアダプタ１００等との間には、相互の連結が可能であっても、草刈機本体２０のモータ５２に対する給電を停止可能な電力供給停止部が設けられている。
ここで、実施形態１に係る電動工具と実施形態２に係る電動工具とは、前記連結阻止部を電力供給停止部に変更した点が相違するだけであり、その他の構成については同様である。このため、他の共通する構成については同一符号を付して説明を省略する。
以下、前記電力供給停止部の種々の構成を図７〜図９に基づいて説明する。
【００２８】
図７、図８では、草刈機本体２０の信号ターミナル４５ｓ、ハンマドリル５０等の信号ターミナル６５ｓが、専用のバッテリ３０の信号電極Ｓｔ、あるいはバッテリアダプタ１００等の信号電極Ｓｔに接続可能か否かによって、モータ５２に対する給電、あるいは給電停止を行う例を表している。
即ち、草刈機本体２０の正側、負側のターミナル４３ｐ，４３ｎ間の寸法は、ハンマドリル５０等の正側、負側のターミナル６３ｐ，６３ｎ間の寸法と等しく設定されている。さらに、草刈機本体２０の信号ターミナル４５ｓとハンマドリル５０等の信号ターミナル６５ｓとが等しい位置に配置されている。そして、草刈機本体２０の信号ターミナル４５ｓの長さ寸法がハンマドリル５０等の信号ターミナル６５ｓの長さ寸法よりも小さく設定されている。
これに対して、専用のバッテリ３０とバッテリアダプタ１００の工具側連結部１０４には、等しい位置に正電極Ｐｔを備える案内スリット３７と、負電極Ｎｔを備える案内スリット３７と、信号電極Ｓｔを備えるスリット状の凹部３９とが形成されている。そして、専用のバッテリ３０の信号電極Ｓｔがスリット状の凹部３９の入口近傍に設けられている。このため、専用のバッテリ３０が草刈機本体２０、あるいはハンマドリル５０等と連結された状態で、専用のバッテリ３０の正電極Ｐｔ、負電極Ｎｔ、信号電極Ｓｔは、草刈機本体２０の正側、負側のターミナル４３ｐ，４３ｎ、信号ターミナル４５ｓ、あるいは、ハンマドリル５０等の正側、負側のターミナル６３ｐ，６３ｎ、信号ターミナル６５ｓに接続されるようになる。
即ち、専用のバッテリ３０は、草刈機本体２０とハンマドリル５０等の双方で使用できるようになる。
【００２９】
バッテリアダプタ１００の工具側連結部１０４の信号電極Ｓｔは、スリット状の凹部３９の奥側で、草刈機本体２０の信号ターミナル４５ｓが接続不能、かつハンマドリル５０等の信号ターミナル６５ｓが接続可能な位置に設けられている。
このため、バッテリアダプタ１００の工具側連結部１０４が草刈機本体２０と連結された状態で、その工具側連結部１０４の正電極Ｐｔ、負電極Ｎｔは、草刈機本体２０の正側、負側のターミナル４３ｐ，４３ｎに接続されるが、信号電極Ｓｔは草刈機本体２０の信号ターミナル４５ｓには接続されない。
なお、バッテリアダプタ１００の工具側連結部１０４がハンマドリル５０等と連結された状態では、工具側連結部１０４の正電極Ｐｔ、負電極Ｎｔ、信号電極Ｓｔは、ハンマドリル５０等の正側、負側のターミナル６３ｐ，６３ｎ、信号ターミナル６５ｓに接続されるようになる。
【００３０】
次に、図８に基づいて、ハンマドリル５０等のモータ５２に対して電力が供給されるために、前記ハンマドリル５０等の信号ターミナル６５ｓとバッテリアダプタ１００の信号電極Ｓｔとの接続が必要な点について説明する。
バッテリアダプタ１００のバッテリ側連結部１０２に接続されたバッテリ１２０には、図８に示すように、そのバッテリ１２０の放電状態を制御する制御部１２２が設けられている。そして、バッテリ１２０が使用可能（放電可能）な状態で、制御部１２２は出力トランジスタ１２５に対してオン信号を出力する。即ち、制御部１２２のオン信号により出力トランジスタ１２５が導通する（オンする）ようになる。
出力トランジスタ１２５の出力端子１２５ｓは、バッテリアダプタ１００の信号電極Ｓｔ、ハンマドリル５０の信号ターミナル６５ｓを介してハンマドリル５０の工具側トランジスタ５６の入力端子５６ｂに接続されている。また、出力トランジスタ１２５のアース端子Ｅがバッテリ１２０の負電極（−）に接続されている。
このため、出力トランジスタ１２５がオンすると、ハンマドリル５０の工具側トランジスタ５６の入力端子５６ｂが零電位（Ｌ）になり、工具側トランジスタ５６がオフする。これにより、モータ５２を駆動させるＦＥＴ５４の入力端子が所定電圧（Ｈ）になりモータ５２に対する電力供給が可能になる。なお、図８中のスイッチ５１はハンマドリル５０のトリガスイッチである。
これに対し、上記したように、草刈機本体２０に対してバッテリアダプタ１００の工具側連結部１０４が連結された場合のように、草刈機本体２０の信号ターミナル４５ｓと工具側連結部１０４の信号電極Ｓｔとが接続されていない状態では、出力トランジスタ１２５がオンしても草刈機本体２０の工具側トランジスタ５６の入力端子５６ｂは零電位（Ｌ）にならない。このため、工具側トランジスタ５６がオンし、モータ５２を駆動させるＦＥＴ５４の入力端子が零電位（Ｌ）になって、モータ５２に対する電力供給が停止される。
【００３１】
したがって、草刈機本体２０と専用のバッテリ３０以外のバッテリ（バッテリアダプタ１００等）とを連結しても、草刈機本体２０のモータ５２に対してバッテリアダプタ１００等から電力が供給されることがない。即ち、草刈機本体２０では専用のバッテリ３０以外のバッテリ（バッテリアダプタ１００等）は使用できない。
即ち、草刈機本体２０の信号ターミナル４５ｓと、バッテリアダプタ１００等のスリット状の凹部３９における信号電極Ｓｔと、出力トランジスタ１２５、及び工具側トランジスタ５６が本発明の電力供給停止部に相当する。
なお、図７では、草刈機本体２０の信号ターミナル４５ｓをハンマドリル５０等の信号ターミナル６５ｓよりも短く製作して、草刈機本体２０の信号ターミナル４５ｓがバッテリアダプタ１００の信号電極Ｓｔに接続されないようにする例を示した。しかし、例えば、草刈機本体２０の正側、あるいは負側のターミナル４３ｐ，４３ｎをハンマドリル５０等の正側、あるいは負側のターミナル６３ｐ，６３ｎよりも短く製作して、草刈機本体２０の正側、あるいは負側のターミナル４３ｐ，４３ｎがバッテリアダプタ１００の正電極Ｐｔ、あるいは負電極Ｎｔに接続されないようにすることも可能である。
【００３２】
＜変更例１＞
次に、図９から図１１に基づいて変更例１に係る電力供給停止部について説明する。
変更例１では、例えば、バッテリアダプタ１００の工具側連結部１０４と、そのバッテリアダプタ１００を使用可能なハンマドリル５０等との間に相互認識が可能な判別手段７０を設け、前記判別手段７０の動作に基づいて出力トランジスタ１２５の出力信号を工具側トランジスタ５６に入力できるようにしたものである。このため、仮に、草刈機本体２０にバッテリアダプタ１００の工具側連結部１０４が連結された場合には、後記するように、判別手段７０が相互を認識しないため、出力トランジスタ１２５の出力信号が工具側トランジスタ５６に入力されず、草刈機本体２０のモータに対する給電は行われない。
即ち、バッテリアダプタ１００の工具側連結部１０４と、そのバッテリアダプタ１００を使用可能なハンマドリル５０等との間には、図９（Ｂ）に示すように、判別手段７０の受信部７２と送信部７４とが設けられている。
【００３３】
判別手段７０の送信部７４は、図１０、図１１（Ａ）に示すように、例えば、ハンマドリル５０等に設けられた磁石であり、受信部７２は、例えば、バッテリアダプタ１００の工具側連結部１０４に設けられた磁界検出用のホールＩＣである。このため、バッテリアダプタ１００の工具側連結部１０４がハンマドリル５０等に連結されると、判別手段７０の受信部７２がオンするようになる。
判別手段７０は、図１０に示すように、出力トランジスタ１２５と工具側トランジスタ５６とをつなぐ信号ラインＳに設けられたスイッチ素子７６を有している。そして、受信部７２がオンすることでスイッチ素子７６がオンして前記信号ラインＳを導通させるように構成されている。これにより、判別手段７０の受信部７２がオンし、スイッチ素子７６がオンすることで、出力トランジスタ１２５の出力信号を工具側トランジスタ５６に入力できるようになる。
このため、仮に草刈機本体２０にバッテリアダプタ１００の工具側連結部１０４が連結された場合には、判別手段７０の受信部７２がオンしないため、スイッチ素子７６がオフして、出力トランジスタ１２５と工具側トランジスタ５６とをつなぐ信号ラインＳが遮断され、草刈機本体２０のモータ５２に対してバッテリアダプタ１００側からの給電は行われなくなる。
即ち、判別手段７０、出力トランジスタ１２５、及び工具側トランジスタ５６が本発明の電力供給停止部に相当し、出力トランジスタ１２５、工具側トランジスタ５６が本発明の電力遮断手段に相当する。
なお、図１０では、ハンマドリル５０等に判別手段７０の送信部７４（磁石）を設け、バッテリアダプタ１００の工具側連結部１０４に受信部７２（ホールＩＣ）を設ける例を示したが、前記ハンマドリル５０等に受信部７２、バッテリアダプタ１００の工具側連結部１０４に送信部７４を設けることも可能である。
【００３４】
また、図１１（Ａ）に示すように、判別手段７０の受信部７２がオンして給電が可能な状態で点灯するＬＥＤ７８と、前記受信部７２がオフして給電が不能な状態で点灯する色違いのＬＥＤ７９とを設けるようにするのがさらに好ましい。
ここで、判別手段７０の送信部７４、及び受信部７２の一例として、磁石とホールＩＣ等を示したが、図１１（Ｂ）に示すように、送信部７４に磁界発生用のコイルを設け、受信部７２に前記磁界を受けて起電力を発生させるコイルを設け、前記コイルの電圧によりスイッチ素子７６を動作させる構成でも可能である。
また、図１１（Ｃ）に示すように、送信部７４に電荷を溜める平板を設け、受信部７２において送信部７４の電荷により誘導された電荷を利用してスイッチ素子７６を動作させる構成でも可能である。
さらに、判別手段７０の送信部７４として光源を使用し、受信部７２として受光素子等を使用することも可能である。
【００３５】
＜変更例２＞
ここで、本実施形態では、上記したように、出力トランジスタ１２５の出力信号を工具側トランジスタ５６に対して入力可能、あるいは入力不能にすることで、草刈機本体２０のモータに対する給電、あるいは給電停止を行えるようにした。しかし、図１２に示すように、草刈機本体２０の負側のターミナル４３ｎを専用のバッテリ３０以外のバッテリ（バッテリアダプタ１００等）の負電極Ｎｔに接続できないようにし、草刈機本体２０のモータに対する給電を停止するようにすることも可能である。
即ち、草刈機本体２０には、正側のターミナル４３ｐと負側のターミナル４３ｎと信号ターミナル４５ｓとが一本づつ設けられており、ハンマドリル５０等には、一本の正側のターミナル６３ｐ、信号ターミナル６５ｓと二本の負側のターミナル６３ｎ，６３ｍとが設けられている。そして、草刈機本体２０の正側のターミナル４３ｐと負側のターミナル４３ｎ間の寸法が、ハンマドリル５０等の正側のターミナル６３ｐと負側のターミナル６３ｎ間の寸法と等しい値に設定されている。さらに、草刈機本体２０の信号ターミナル４５ｓとハンマドリル５０等の信号ターミナル６５ｓとが同じ位置に配置されている。
【００３６】
これに対し、専用のバッテリ３０には、ハンマドリル５０等の正側のターミナル６３ｐ、負側のターミナル６３ｎ，６３ｍ、及び信号ターミナル６５ｓが挿入される案内スリット３７，３７１，３７２、及びスリット状の凹部３９が形成されている。そして、案内スリット３７に正電極Ｐｔ、案内スリット３７１に負電極Ｎｔ、スリット状の凹部３９に信号電極Ｓｔが設けられている。
また、バッテリアダプタ１００には、専用のバッテリ３０と同様にハンマドリル５０等の正側のターミナル６３ｐ、負側のターミナル６３ｎ，６３ｍ、及び信号ターミナル６５ｓが挿入される案内スリット３７，３７１，３７２、及びスリット状の凹部３９が形成されている。そして、案内スリット３７に正電極Ｐｔ、案内スリット３７２に負電極Ｎｔ、スリット状の凹部３９に信号電極Ｓｔが設けられている。しかし、草刈機本体２０の負側のターミナル４３ｎが挿入される案内スリット３７１には、負電極Ｎｔが設けられていない。
このため、バッテリアダプタ１００を草刈機本体２０に連結しても、草刈機本体２０の負側のターミナル４３ｎは、バッテリアダプタ１００の負電極Ｎｔには接続されないため、草刈機本体２０のモータに電力が供給されることはない。
なお、ハンマドリル５０等の負側のターミナル６３ｎ，６３ｍは、バッテリアダプタ１００の負電極Ｎｔ、あるいは専用のバッテリ３０の負電極Ｎｔのいずれにも接続可能なため、ハンマドリル５０等にはバッテリアダプタ１００、あるいは専用のバッテリ３０いずれも使用できるようになる。
【００３７】
＜変更例３＞
本実施形態では、上記したように、判定手段７０を使用し、判定手段７０の受信部７２がオンしないときに草刈機本体２０のモータに対する給電を停止する例を示した。しかし、例えば、図１３（Ａ）（Ｂ）に示すように、案内スリット３７に開閉機構８０を設け、判定手段７０の受信部７２がオンしたときに案内スリット３７を開放し、受信部７２がオフしたときに案内スリット３７を閉じるようにして、草刈機本体２０とバッテリアダプタ１００等との連結を阻止することも可能である。
即ち、開閉機構８０は、図１３（Ａ）（Ｂ）に示すように、案内スリット３７を横断可能なピン８２と、そのピン８２を案内スリット横断位置に保持する磁石８１と、そのピン８２を磁石８１から引き離して案内スリット３７を開放するコイル８４とを備えている。そして、判定手段７０の受信部７２がオンしたときコイル８４が通電し、ピン８２が案内スリット３７を開放するように構成されている。
これにより、案内スリット３７がピン８２により閉鎖されているときには、草刈機変体２０の正側、あるいは負側のターミナル４３ｐ，４３ｎがピン８２に遮られて案内スリット３７に挿入されなくなる。
即ち、判定手段７０と開閉機構８０とを使用することで、草刈機変体２０に対する専用のバッテリ３０以外のバッテリの連結を阻止することができる。したがって、前記開閉機構８０が本発明の操作手段に相当する。
なお、図１３では、磁石８１を使用してピン８２を案内スリット横断位置に保持し、判定手段７０の受信部７２がオンしたときに案内スリット３７を開放する例を示した。しかし、常時、案内スリット３７を開放しておき、判定手段７０の受信部７２がオフしたときに、ピン８２を案内スリット横断位置まで移動させる構成でも可能である。
ここで、実施形態１，２では、専用のバッテリ３０以外のバッテリ（バッテリアダプタ１００等）を使用できない電動工具として草刈機１０を例示したが、バッテリの重量が変化することでバランスが変化する、例えば、バッテリ式チェンソー、ヘッヂトリマ等に本発明を適用することも可能である。
【符号の説明】
【００３８】
１０・・・・草刈機（電動工具）
２０・・・・草刈機本体（電動工具本体）
２７・・・・ハウジング部
２７ｆ・・・下端面
２８・・・・バッテリ保持部
２８ｍ・・・角溝（連結阻止部）
３０・・・・専用のバッテリ
３６・・・・スライドレール（嵌合部）
３６ｔ・・・横方向突条部（嵌合部）
３９・・・・スリット状の凹部
４３ｐ・・・ターミナル（電極、連結阻止部）
４３ｎ・・・ターミナル（電極、連結阻止部）
４５・・・・突条（突起、連結阻止部）
１００・・・  バッテリアダプタ
Ｎｔ・・・・負電極
Ｐｔ・・・・正電極
７０・・・・判別手段（電力供給停止部）
１２５・・・出力トランジスタ（電力供給停止部、電力遮断手段）
５０・・・・ハンマドリル
５６・・・・工具側トランジスタ（電力供給停止部、電力遮断手段）
８０・・・・開閉機構（操作手段）
【図１】
0005535949.tif 000002
【図２】
0005535949.tif 000003
【図３】
0005535949.tif 000004
【図４】
0005535949.tif 000005
【図５】
0005535949.tif 000006
【図６】
0005535949.tif 000007
【図７】
0005535949.tif 000008
【図８】
0005535949.tif 000009
【図９】
0005535949.tif 000010
【図１０】
0005535949.tif 000011
【図１１】
0005535949.tif 000012
【図１２】
0005535949.tif 000013
【図１３】
0005535949.tif 000014
【図１４】
0005535949.tif 000015